(57)【要約】      （修正有）【課題】血圧測定及び心電図測定の二種類の機能を有し、使用者の皮膚と心電電極の間で接触安定性を改善した心血管モニタリング装置を提供する。【解決手段】心血管モニタリング装置は、ユーザの四肢を取り巻くカフと、少なくとも一方はドライ電極で構成される第１電極及び第２電極と、ハウジングと、ハウジングに設けられたプロセッサ搭載の制御回路と、ディスプレイと、を有する。制御回路は、カフの内部圧力を制御して血圧測定を実行し、２つの電極を用いて心電図測定を実行し、プロセッサは、血圧測定が実行されると拡張期血圧及び収縮期血圧を提供し、心電図測定が実行されると心拍情報を提供する。心血管モニタリング装置は、ユーザと第１電極が接触可能となる保持構造を備え、保持構造は、第１電極と保持構造を保持するユーザの手との間の接触安定性を確保するために、手握り可能な曲線の形状に形成される。【選択図】図１
0003206503.tif 000002
【実用新案登録請求の範囲】
【請求項１】
心血管モニタリング装置であって、
ユーザの四肢を取り巻くための膨張可能なカフと、
少なくとも２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
前記拡張期血圧及び前記収縮期血圧並びに前記心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると拡張期血圧及び収縮期血圧を提供するように構成され、前記心電図測定が実行されると心拍情報を提供するように構成され、
前記心血管モニタリング装置は、さらに、前記第１電極を設けるための保持構造であって、前記ユーザが前記保持構造を保持するときに前記ユーザと電極が接触可能となるような前記保持構造を備え、
前記保持構造は、前記第1電極と前記保持構造を保持する前記ユーザの手との間の接触安定性をさらに確保するために、人間工学に基づいた形状に形成される、
心血管モニタリング装置。
【請求項２】
請求項１に記載の心血管モニタリング装置であって、
前記心拍情報は、平均心拍数又は不整脈の兆候のうちの少なくとも１つを含み、
前記プロセッサは、さらに、心電図測定が実行されたときに、ST値、QRS、PR、QTc及びHRVに関連するパラメータのうちの少なくとも１つを提供する、
請求項１に記載の心血管モニタリング装置。
【請求項３】
請求項１に記載の心血管モニタリング装置であって、
前記保持構造は、前記ハウジング又は前記カフから延長され、又は、前記ハウジングと一体的に実装され、
前記第１電極を設けるための前記保持構造の表面は、前記保持構造を保持する前記ユーザの手に対して人間工学的に適合する円弧面である、
請求項１に記載の心血管モニタリング装置。
【請求項４】
心血管モニタリング装置であって、
ユーザの四肢を取り巻くための膨張可能なカフと、
少なくとも２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
拡張期血圧及び収縮期血圧並びに前記心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると前記拡張期血圧及び前記収縮期血圧を提供するように構成され、前記心電図測定が実行されると心拍情報を提供するように構成され、
前記前記第１電極及び前記第２電極はそれぞれ、前記心血管モニタリング装置の一部の対向する接触面に設けられ、前記２つの電極の一方に力が加えられたときに、前記第１電極及び前記第２電極が同時に前記ユーザの皮膚の異なる部分に接触するように構成される、
心血管モニタリング装置。
【請求項５】
請求項４に記載の心血管モニタリング装置であって、
前記第１電極及び/又は前記第２電極は、さらに、前記２つの電極に設けられる圧力検出素子、圧力感知素子又は接触を感知するためのスイッチに接続される、
請求項４に記載の心血管モニタリング装置。
【請求項６】
請求項４に記載の心血管モニタリング装置であって、
前記ハウジング又は前記カフから延長された受力構造であって、前記受力構造の対向する接触面に設けられた前記第１電極及び前記第２電極を備え、前記受力構造に加えられた力に応じて、前記第１電極及び前記第２電極が同時に前記ユーザの皮膚の異なる部分に接触するように構成される、
請求項４に記載の心血管モニタリング装置。
【請求項７】
心血管モニタリング装置であって、
ユーザの四肢を取り巻くための膨張可能なカフと、
少なくと２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
拡張期血圧及び収縮期血圧並びに前記心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると前記拡張期血圧及び前記収縮期血圧を提供するように構成され、前記心電図測定が実行されると心拍情報を提供するように構成され、
前記第１電極は、前記カフ又は前記ハウジングに設けられ、
前記心血管モニタリング装置は、さらに、弾性構造を備え、
前記弾性構造は、モニタリング中に前記心血管モニタリング装置が前記ユーザに取り付けられたときに、前記第１電極と前記ユーザの皮膚との間の接触安定性を確保する、
心血管モニタリング装置。
【請求項８】
請求項７に記載の心血管モニタリング装置であって、
前記第１電極は、前記カフに設けられる場合には、前記弾性構造は、クランプ又は弾性バンドであって、前記第１電極近傍に前記カフと一体となっている前記クランプ又は前記弾性バンドとして構成され、
前記第１電極は、前記ハウジングに設けられる場合には、前記弾性構造は、前記第１電極近傍に前記ハウジングと一体として構成され、或いは、前記弾性構造は、前記第１電極と一体として実装される
請求項７に記載の心血管モニタリング装置。
【請求項９】
請求項７に記載の心血管モニタリング装置であって、
前記第１電極及び前記第２電極の少なくとも一方は前記カフに設けられ、
前記心電図測定は、前記カフの内部圧力が定常状態となるときに実行される、
請求項７に記載の心血管モニタリング装置。
【考案の詳細な説明】
【技術分野】
【０００１】
本考案は血圧及び心電図信号の測定機能に関するの心血管検測装置である、特に、使用者の皮膚と心電電極の間で接触安定性の改善を提供する心血管検測装置に関する。
【背景技術】
【０００２】
現代人は益々自身の健康を重視し、特に心血管の健康である、血圧計は日常生活の中で最も使用されている心血管健康を検測する装置の一つ、利便性があること、高血圧も各種の慢性病の危険因子での一つ、例えば、心臓病及び糖尿病。
【０００３】
最近、ユーザーの需要及び技術的の発展で、血圧計の機能が大きく改善され、血圧を測る以外、血圧計も更に多く心血管システムの情報を提供すること、例えば、平均心率及び不規則な心脈の指示、但し、血圧計は動脈脈を基礎として、不規則心脈の検測機能を提供するので、単なる参考指示が見られる。
【０００４】
不整脈は心率問題でよく出た問題中の一つ、その症候は心率の速度あるいはセクションの律が非常に速く、あるいは非常に遅い、あるいは不規則さが現われる、ある心律不完全で急に心臓が止まったり、生命安全に脅威されること、他に心脈不正常眼覚めなど症状をもたらす、それは気持ちが悪くなるだけ、生まれつき及び心臓病を除き、糖尿病や高血圧など体の状況で、また、プレシャー、カフェイン、喫煙、アルコールなどで心臓の正常脈が影響され、心律不完全にもたらすこと、ですから心率不完全は心臓に関わるだけでなく、心血管及び体の症状にも関わること、更に要注意するのは、不整脈を診断する最正確方法には心電図検測であること。
【０００５】
上記のことによって、あることが分かった、心血管健康を討論する際、血圧以外、心電図にも考慮すべき、ですから、ある装置は同時に二つ機能が提供できれば、血圧を測定及び心電図を測定すること、こうすると心血管検測にとって、重大な改善することが言える、医者を診断する時にこの二種類のデータを収集するは最も重要な事を言う及び長時間に心血健康を追い続きの為に、非常に実用のこと。
【０００６】
習慣に知るの血圧計上には電極を結合してのために、考えなければならないのです、どんな形式の電極を採用するが。在宅を使用のため、それゆえに、使用するの電極は心電図を執行して測定する時に、ユーザに対して容易、簡単、しかも便利の使用モードを提供することが出来る、だから、電気伝導クリームを使えないも達成測定、しかも設置表面で電極を仕掛けていることが出来る、わりによい選択だ、尚、このタイプの電極も血圧計元を利用することに役立った構造を採用する、によるこの、繋いで降りて考えるのどう電極を血圧計の上で設置するかものだ、から、電気伝導クリームが使用していないの状況の下に[で] 、ユーザの皮膚と電極の間の接触安定性なるに対して、測定の結果は正確さ、正確しないさ、もっと重要の影響をなっています、まさに知る...数種類あって使用する状況は影響するかもしれない摘み取るの心電図ニュースは叫ぶ、挙例を言えば、電極が接触されるの区域は何故、どの部分の皮膚なのかで測定を執行しに来る、及びユーザと電極のアクションを接触するはどんな、そして一番よくあるの雑信号を提供の原因の内に、過度の筋肉緊張度する、すぐなのか影響の関係有りがユーザを測定過程の間に何の姿、それゆえに、どう改善してか仕掛ける構造及びその上に設置するの電極は、上述の内に影響させての可能性を減少なりの為、すぐとても重要な議題になる。
【考案の概要】
【考案が解決しようとする課題】
【０００７】
それゆえに、本考案の目的は心血管検測装置を提供すること、あの習慣に知るの血圧計の構造が基礎としてを利用する、再び人間工学ぴったり合ってのモードに電極を設置すること。
【０００８】
本考案の別の目的は心血管検測装置を提供すること、その電極のロケーション設計されるはユーザの皮膚の間と電極を安定接触達成する。
【課題を解決するための手段】
【０００９】
本考案の心血管検測装置は、カフ、ユーザの肢体を縛ってすると、少なくとも１つの第一電極及び第二電極と、ハウジングと、プロセッサを含む制御回路、ハウジングがそこに含まれると、ディスプレイ素子を含み、その中、少なくとも１つの電極は乾電極、制御回路はカフの中に圧力を制御する経由に血圧測定を執行する、及び電極を使用する経由に心電図測定を執行する、プロセッサは血圧測定機能が起動される時、拡張期血圧及び収縮期血圧を提供する、また、心電図測定機能が起動される時、心律情報を提供する、かつ、ディスプレイ素子は拡張期血圧、収縮期血圧及び心律情報のを表示する。
【００１０】
他より良いのは、心律情報は含めるが、限らないしかない、平均心率及び /あるいは不整脈の指示、及びほかできるから獲得するの心電図発展するそして得るの心律情報、他に、血圧及び心律情報以外、プロセッサはさらに心電図が測定して起動された時に、ST 値、QRS、PR、QTc、及びHRV 関係するパラメーターを提供する少なくとも１つである。
【００１１】
それに、電極とユーザの皮膚の間で達成するためにわりによいしかももっと安定な接触は、本考案は習慣に知る血圧計に基礎そして提供が電極設置した所に改善構造を出来明かり。
【００１２】
本考案で一方ではの作意に、握るの構造を持って提供されて設置するべき第一電極、それゆえに、ユーザできるによって握って構造を持って簡単に接触を完成する、そして、握って構造を持って形成されるべきだあるためにたら人間工学が勉強した形にぴったり合う、で確保するべき第一電極と握って手を持つの間の接触安定性は、挙例して言う、構造を持つ形を握ってあってぴったり合って握って手を持つことが出来るべきだ彎曲している度の一アーク面、及び /あるいはその第一電極はべき握る持つ手にあることが出来るできる自然な接触のロケーション、こので、この握る持つ構造はハウジングから延伸するななり或いはカフの構造、或いはハウジングと一緒に整合するその確かに出来上がる、しかも、この握る持つ構造の外形が所要の型を換わるなり、例えば、長い形なるは可能、あるいは球形、あるいは、更に良いの何処ほかの便利が握って持つ形。
【００１３】
特にです、べき第二電極も設置されることが出来るで握って構造の上で持つべきだ、それゆえに、ユーザできるによって握って持って接触するべき第一電極は、再び移動するべき握って構造を持って使うべき第二電極は別に接触するたら部分の皮膚、例えば、別に一の肢体 （及ぶ、足あるいは別に腕前）、あるいは胸、だから便利なモードで心電図の測定に達成することが出来る。
【００１４】
本考案別の方面の作意の中で、第一電極と第二電極が装置の一部分の対向の接触可能面にそれぞれに設けられている、例えば、そのハウジング及び /あるいはそのカフ、それゆえに、その中の一つ電極の上に[で] 力を加える時に二つの電極は同時に力が異なっている部分の皮膚は接触する、だから、デバイスがユーザの体の上に設置される時に、例えば、カフは肢体をめぐる時に持つ、全ての電極の接触は一手で一の力を加えることが出来るでその中一つの電極の上で時同時に完成する、或いは、する代わる、圧力を加えてもユーザの移動がめぐられた手だことが出来て電極を胸を接触させる、それゆえに、制限していない。
【００１５】
特にです、さらに提供でき在るのはハウジングから延伸するあるいはそのカフ上に力を受ける程度、でべき第一と第二電極が積載するであの相対的の表面的の上に載せている、それゆえに、ユーザはあることが出来るもっと見分けやすいのによってリージョンを圧する。ユーザはもっと見分けやすいのリージョンの区域を出来上がる。
【００１６】
本考案でまた一方ではの作意に、心血管検測装置がユーザの体上を設置されるの時に、一つ弾性構造を確保する為に提供されてべき第一電極と皮膚の間で安定な接触があって、ここで、第一の電極のロケーションによって決まって、ハウジングの上にあるあるいはカフの上に、弾性構造は異なっているモードに実施することが出来る、挙例して言う、もしべき第一電極がハウジングの上で設置する、べき弾性構造とハウジングを整合することが出来るそしてクリップ様な型を成る、しかも第一電極の位置は内側にあるから、それゆえに、ハウジングがユーザでの指、掌、あるいは肢体の上でをクランプ時、そうすると安定な接触は同時に達成することが出来る、或いは、代わる為、もし第一電極がカフ上に設置する時に、べき弾性構造とカフを整合することが出来る、そうするとクリップ様な型あるいは一の弾性バンドを成る、それゆえに、充気する時に影響ありの接触不安定あるいはいろいろな雑信号を避けられることが出来る、特にです、当の弾性構造も電極自身と一緒に整合することが出来る、即ち、その電極自身が直接に形成されて又自身弾性を持つ成り、皮膚の上に接触を維持することが出来る、例えば、クランプ式の電極、それゆえに、制限しない。
【００１７】
特にです、その電極はカフの上を設置されている時に、進化の接触安定性ために、実施することが出来るカフの充気を根拠するにそして心電図の測定時間をコントロールとエグゼキューションする、挙例して言う、よってに一つのプログラムを採用するために、心電図の測定する場合には制限されることが出来るで充気の過程で安定化現象時にあるいはヘジテーションの状況の下でやっと執行した、確かに、変化が停止以後の時に、最大化の接触の安定性をとけた。
【００１８】
更に注意するの重点が、上述のインプリメンテーションの挙例実施は単独使用の制限しないのために、しかも、異なっているのインプリメンテーションの挙例実施はお互いに結合することが出来るあるいは整合して提供の安定な電極が接触した目的に達成する、しかも、けれども簡易化の為に、述べてすべて重視するには第一電極、しかし第二電極及び他の電極も上述のインプリメンテーション挙例実施は適用する、制限していない。
【００１９】
ここでは、その述べるが電極設置するの表面は血管チューブの監視測定装置の内にいかなる表面接触することが出来る、即ち、ハウジング、縛ってテープ、及び /あるいは延伸構造のいかなる表面を接触することが出来る、で特別のインプリメンテーション挙例実施内に、表面を接触することが出来るは、使って受け取るあるいは収容して指を置く及び /あるいは手の一内部表面、例えば、設置するでハウジングあるいは縛ってテープ上の穴の内部表面、又はハウジングから延長するあるいは縛ってテープの一の指サックあるいは手袋 （延長構造）の内部表面は、尚、受け取るあるいは構造の置く内部を収容しても弾性構造を採用することが出来るたら、指あるいは手の移動を制限するため、でさらに一歩を進化するのはそれゆえにもたらすの雑信号を減るため。
【００２０】
特にです、もし指サックあるいは手袋に実施する時に、第二電極もその外部表面の上に設置されることが出来る、それゆえに、若しかも第二電極の接触を達成する、ユーザはできるによって移動がかぶせられるの手あるいは指を接触する /一の肢体あるいは胸を握って別に持つ、又はユーザはできるによってほかの手を握ってによって持ってかぶせられる手あるいは指、制限しない。
【００２１】
更に良いのは、心血管検測装置内蔵のメモリが測定する時に獲得するの血圧と心電図信号及び相関の情報を暗記する出来ます、その後に簡単をダウンロードする出来ます、それに、その心血管検測装置も本体以外の電極あるいは他の測定機器をと連結を実施することが出来る、例えば、血酸素感測機あるいは参考の電極を測る、測定の結果をさらに改善する及び /あるいは使用の機能拡大する、尚、その中に少なくとも一の電極がさらに圧力検出素子、タッチ感応素子、あるいは接触を感知するスイッチに連結する、ユーザは上に加えたの力が足りる或は足りないを通知すること出来ます。
【００２２】
このによる、通して採用するに基づく習慣に知る血圧計の構造はそして電極が上に設置した改善構造を設計することを、本考案血圧及び心電図の測定の二種類の機能をある一種の心血管検測装置を提供する、もっと使用易しい、もっと簡単だ、しかももっと便利だエグゼキューション電極接触、それに、人間工学をぴったりと照合するの設計がさらに電極と皮膚の間の接触安定性を獲得することが出来る、そしてもっと正確の結果を提供する。
【考案を実施するための形態】
【００２３】
以下、例として挙げる本考案の最良の実施例と図面に基づき、本考案についてより詳細に説明し、更なる理解を促す。
【００２４】
本考案は血圧の測定及び心電図の測定の二種類の功能を載っているの心血管検測装置です、それゆえに、通して単式の装置を操作するよって相関の心血管の健康な多項の重要な情報を獲得することが出来る。
【００２５】
二種類の測定を整合するために、本考案の習慣に知血圧計の基本構造を採用するで心電電極を設置する、もっと特には、本考案のデザインも提供することが出来るユーザを役立つで簡単にしかも人間工学にぴったり合って勉強するのモードは操作して、そして電極とユーザの皮膚の間で確保して接触を落ち着くことが出来る、とって過度な筋肉緊張度の影響を下げるの効果する。
【００２６】
図 1を参看して、本考案は心血管検査装置の一つ図面の示す、ようの示す、心血管検査装置は制御回路 10、充気式のカフ12 、ポンプ、エアバルブ、圧力転送感知器感、及び少なくとも二の電極 14を含める、こので、制御回路 10 は経由することが出来るために接続してカフ 12 及び電極 14 そして血圧の測定と心電図の測定を執行する、それゆえに、制御回路 10 含めることが出来るが、限らなく、汎用の電子部品を使うよって測定するを達成する、例えば、プロセッサ、一の A/D トランスデューサのフィルター、アンプなど、これらのに対して腕エリアは知識人を普通あって言うすべてよくあるの内容、それゆえにもう贅言しない。次いで、例えば図2の示す、カフ12所のハウジング18を持つさらに制御回路を収容することを使って置くことが出来るでその中、及びディスプレイ素子 16 及び一つインターフェイスを操作すると、その上に設置する、別に一種類のよくあるモードです、ハウジングタイラインを利用してカフまでを接続する。
【００２７】
更にその装置は又一つある、包括一つ記憶体、信号貯まるを遣る、分析結果及び／或いは相関の資料、更にいいのは、その記憶体が交換式(取り出す、入りこみ)はできる、その中に地貯めるの資料を輸出ために、取り出す、入りこみ形式の記憶体が良いの便利性ために選択する、挙例を言えば、ユーザは交換式の記憶体内に貯めっているの測定資料／分析結果そしてをそのままに持って往って医者を診断する、交換式の記憶体が別に一つ功能、資料を貯める場合に有線式の連結することもできます、(例の。少なくとも一つ転送ポート)、或いは一つ外部装置までに無線式連結するを輸出する（例に一つコンピューター）或いは他の単元。
【００２８】
本考案の中に[で] 、血圧及び心電図の両方がすべて測定を行う、それゆえに、習慣に知るの血圧計の中で載っているの演算式すること以外に、プロセッサの中のあらかじめプログラムを載せてさらに含めることが出来る関係する心電図の演算式する、基本の上で、アルゴリズムは三類を分けることが出来る、一種は関係するの血圧測定、例えば、しかし制限なし、拡張期血圧、収縮期血圧、、及び心率、一種は関係しての心電図測定する、例えば、しかし制限なし、心率、不整脈、ST 値、QRS 、 PR 、QTc 、及び関係するの HRV（心率の変異）のパラメータで、包括時間領域の統計のパラメータ （time domain statistical parameters ）、例えば、SDNN 、 RMSSD 、NN 50 、及び pNN 50 、時間領域の幾何のパラメータ （time domain geometrical parameters ）、例えば、RR 三角関数 （RR triangular index ）、及び TINN 、及び周波数領域のパラメータ （frequency domain parameters ）、例えば、LF 、HF 、及び LF/HF は、再び一種両者で関係する、挙例を言う、制限なし、雑信号の干渉を解除する及び PTT。（脈波転送の時間、脈波が一段の動脈の中で伝送するよって通過まで必要の時間）。
【００２９】
習慣に知るの血圧計と最大の差別のは、根拠本考案の装置は心電図の方から獲とるの資料を提供することが出来る、例の、心律相関の資料、例、平均心率、不整脈の示す、及び、その他に心電図の波形分析の方から獲とるの資料、例、心筋梗塞相関のST値。
【００３０】
そして、ユーザが多い種類の結果を獲とるすることが出来る以外に、他の程度の上に、獲とるの結果は更に正解、例の心縛不正の示す及び不整脈の示す、所外、血圧及び心電図のお互いに関連性あるから、そして、二種類の信号の間にお互い相関参考する、他の生理信号状況資料を獲取るすることが出来る、例の、脈波転送の時間、及び、動脈の脈搏とECGの間に雑信号影響を消すの有利の方法。
【００３１】
そして、本考案は直接に心電図を測定することが出来る、それゆえに、も心電図の方から獲得するの心臓状況関係するの情報を直接に提供することが出来る、それゆえに、習慣に知るの血圧計と比べて、本考案がもっとたくさんの操作選択を提供するのばかりでなく、さらに元多いの心血管の健康な情報を提供することが出来る。
【００３２】
本考案の内に、心電図の測定が経由、ユーザの各部位の皮膚を接触するとって達成する、最高の便利方法は、電極が装置の表面位置を設置するよって乾電極を形成する、もし乾電極を使用するときにユーザが媒介品を不必要、例の、導電クリームの状況に、唯直接乾電極を接触するよって心電図の測定を達成する、そうすると、測定の時間は無制限、そして、乾電極の障害は不容易し、又保養も容易し、そうすると、電極を交換の不便の問題もありません、そこで一つ或は二つの乾電極を設置するが制限なし。或いは、代わるを成る、ほかのスライス貼る式の電極を選択ことで出来る、挙例を言う、スライス貼る式の電極を繰り返す使用することが出来る、又は装置の表面で可交換のスライス貼る式の電極を設置することが出来る、それも同様に導電クリームが不必要です、それゆえに、何の制限もない。
【００３３】
本考案の心電電極の位置は本体の全ての表面の上に施設することが出来る、例えば、ハウジングの表面、カフの表面、あるいは構造の表面を延伸する、即ち、いかなるユーザの皮膚と接触することが出来るところ、本考案の心電図測定が電極と皮膚の間の接触は頼らなければならない、それゆえに、本考案のデザイン主に希望するで習慣に知るの血圧計は大部代わらないの状況下には、最大の接触安定性及び一番少ない操作段取りは提供する、製造原価を下げる、尚、もし電極はカフの上で設置する時に、充気する時に接触安定性が影響する事があり、本考案もこの問題に克服することを希望する。
【００３４】
この考案を通りに、電極の接触安定性を確保するために、二種類のモードを使用して、一種はユーザの施力は頼る、別に一種は電極自身とユーザの皮膚の間の施力。
【００３５】
第一方で作意に、電極の整体の装置が設計の上にユーザは自然的に電極を接触することが出来るために、ユーザは使用時に安定な施力を確保する。
【００３６】
わりによいインプリメンテーション例の中で、心電の電極は実施されるに、ユーザは力を加えるまでその中で1つ電極の上の時に、数個電極が同時にユーザの皮膚の異なっている部位を接触することが出来る、図3 A及び図3 Bをご参考してください、心電電極 14 別々にハウジング 18 に設置する及び /あるいはカフ12 の表面の上に設置する、しかも特に、数個電極 14 が相対的の表面の上に設置する、それゆえに、力が加えるでその中一つの電極の上の時に、残りの電極も同じ力を受けることが出来る、挙例を言う、例の図3 Aの示す、電極は設置することが出来るでハウジング 18 の相対的の表面の上に、そしてハウジング 18 は堅いの所為、未直接に互いに相対的の電極も唯一つの力を加えるそして同時間にユーザの皮膚を接触している、それに、図3 B ほかのインプリメンテーション例を提供する、その中に、電極 14の位置はハウジング 18 及びカフ12 上に設置する、しかも互いに相対的です。
【００３７】
その以外に電極は体以の上に直接に設置する及び /あるいはカフの表面以外に、同様にわりによいのは、電極の位置はハウジングからを延伸する/カフが１つ力を受けるの構造 40 の相対表面の上に設置する、挙例を言う、例えば図4 Aの中で示す、力を受けるの構造 40 面積は大きくて鑑別しやすいのリージョンことが出来る、ユーザにもっと便利な操作を提供する、或いは、代わるを成る、例の図4 Bの中で示す、電極14の位置は相対の表面の上にそして力を受けるの構造 40 もカフの上に絞るを成っているしかもカフは沿ってを移動する、そして人間工学にぴったり合ってする。
【００３８】
この電極が相対的の表面に設置したモードも更に便利な操作して成っている、挙例を言う、ユーザが手を捲るのカフが移動を遣っているそしてハウジングの上で、あるいはカフの外側に表面の上に電極が直接に胸を接触して、そして優勢あるのは、この状況の下に[で] 、ばかりでなく相対的の電極は同時にめぐられる手及び胸を接触することが出来る、胸を接触して行う測定を通してももたらすことが出来るもっとはっきりしている心電図信号が出来上がる、しかも、もっとわりによいのは、この測定の方法はちょうどぴったり合って腕式血圧計のその中一種のスタンダードのアクションを使用する。
【００３９】
他の一つインプリメンテーション例の中に、電極の配置も実施することが出来るに、少なくとも一の電極が手を握る持つそしたら接触を進行する、挙例を言う、電極が直接にハウジング18の上に設置されることが出来る、あるいはセットアップでハウジングから延長を設置するあるいはカフの上に一つ握る持つ構造を設置する、そしてユーザは握る持つを遣る為に、ここで、握られる持つのハウジング /握って持つ構造の形と及びその上の電極の設置の位置と /形状の制限しない、しかし握る持つ構造が人間工学をぴったり合ってことが出来る、そしても自然的で便利な操作に達成することが出来る、挙例を言う、例えば図5 Aの示す、ハウジング /握って持っての構造を形成することが出来てアーク面 52 を一あるために、指のアーチ．ベンドにぴったり合う、簡単にもさらに提供してわりになのかわりに寛げるためにの接触電極 14 の握ってアクションを持つ、及びそれゆえに過度な筋肉緊張度を減る、ここで、構造の形成するは長い形あるいは球状のことが出来る、真実な需要をよって形の決まる、或いは、代わるを成る、例えば図5 Bの示す、ハウジングに /握って持つの構造の上に電極の位置が設計される事で出来るよって指を接触し易いの部位で設置する事が出来る、ここで、わりによいのは、その電極が似ているキーの形をの形成する、そして直感接触式の操作を提供する、そしてさえでさらに優勢あるのは、キーさらに実施するにできるが起動測定のキーを成る、さらにプロシージャは簡易化の操作を成る、尚、他の動作はあるで、電極の位置が他の四つ指は気楽に接触するのロケーションを設置される事が出来る、それゆえに、制限しない。
【００４０】
こので、特別に、手を握られてが電極を接触する以外に、ほかの電極もハウジングに設置されることが出来る /握って持つ構造の表面で、例えば図5 Bの示して、ユーザは唯一つ手をハウジングに握って持つする /握って持って構造はそしてその上の電極は同時に接触する、ほかの電極がユーザのほかの部位を接触することが出来る、例えば、別に一の肢体 （及ぶ、足あるいは別に腕前）、あるいは胸は、よって数個電極を同時に接触することが出来る。
【００４１】
それに、根拠  本考案第二の方面の作意は、まったく仕掛ける及びその上の電極設計されるは電極を力を生じさせることが出来る、そしてユーザの皮膚の間に安定化の接触するために、
【００４２】
わりによいインプリメンテーション例の中で、弾性構造は電極と皮膚の接触を確保するために、当の弾性構造はハウジングと、カフ、あるいは電極は一緒に整合する。挙例を言う、若し電極 14 はカフ12の上に設置する時に、弾性構造とカフ一緒に整合してそして電極の近くに弾性クランプ60（図6 A）を成っている、或はカフの縁辺を形成するよって充気できないの1つ弾性バンド62（図6 B）、電極と皮膚の間に強迫押し付けてを接触するため、或いは、代わるをなる、若し電極の位置はハウジング 18 上に設置する時に、当の弾性構造とハウジング一緒に整合することが出来る、例えば図6 C及び図6 Dで示す、それゆえに、ハウジング 18 は肢体、あるいは手の一つ部位をはさむことが出来る、よって内部の電極と皮膚に強迫押し付けてを接触する、他にも、更に特別には、弾性構造と電極は一緒に整合することが出来る、即ち、電極自身が弾性持ちを形成することが出来る、挙例を言う、クランプ式の電極は、直接に皮膚の上に[で]力を入れる 、それゆえに、弾性構造のタイプを形成する、形状、及びロケーションは制限しない、根拠真実な状況下に変化する。
【００４３】
それに、特別には、電極が充気式のカフの上で設置する時に、接触の安定性をさらに確保するために、も心電図測定の時にカフが限制充気を行っていることが出来る、挙例を言う、プログラム制御を経由する、心電図測定は設定されることが出来るとって唯充気圧力に安定化或は臨時に停止執行（そうすると、充気は未発生変わるの時に）、例えば、充気の前に、充気の維持の不変時に、あるいはとき充気完成する時に、或いは、代わるをなる、も実施することが出来るに、心電図測定の開始が唯初期設定に達成する時に遣っている（即ち、接触力は十分高い時に）やっと執行した、それゆえに、充気ときに発引の不安定問題がさらに避けられることが出来る。
【００４４】
当注意するのは、上述のインプリメンテーションの例は単独使用するの制限ありません、異なっているインプリメンテーション例は互いに整合することが出来る、あるいは結合するそしてもっとに安定化及び便利の電極接触及び操作はプロシージャを提供する為に、挙例を言う、例の図6 Dの示すによってハウジング 18 の構造を経由する、ばかりでなく内部の電極は弾性構造を通すで接触されてことが出来、外部表面の上の電極も握られて持つの手を接触することが出来る、他に、けれども易化の為に、全ての述べてが第一電極の重視するために、しかし第二電極及び他の電極が上述のインプリメンテーションの例も適用する、制限していない。
【００４５】
図7 Aから図7 Eまでにはほかの施設の挙例を示す、電極の設置位置は表面を使ってそしてハウジングに/カフ /延伸構造の上で一個或は数個穴の部位に形成することが出来る、図7 Aの中に、ハウジングが形成されてあるために指を二個穴部位70で使って受け取る、さらに別々に電極14 位置でその内部の表面の上に載っている、それゆえに、指はの中で挿し込みいる時に、よって電極14の 間に接触は同時に完成することが出来る、そして、指を圧で経 由する時に、相対的の面の上の電極は直接に他の部分の皮膚を接触することが出来るたら、図7 Bの中に、穴部位 70がカフ12の中にを形成される、しかも、似ているのは、挿し込むの指は内側の電極を接触することが出来る、そして圧力は下向けに伝導するよって別に一つの電極を脅迫するに部分の皮膚を接触することが出来るたら、図7 Cの中に、穴部位70は延伸構造の中に形成される、別に一の電極は構造下方にのっている、図7 Dの中に、電極は各別にハウジングの不相同穴部位の中で設置する、そして挿し込みの指を接触するために、こので、特別には、穴の部位は （ハウジングの中に[で] 、カフの中に、あるいは延長構造の中に）の内部でさらに弾性構造を採用することが出来る、電極と指の間の接触を確保するために、他に、図7 E及び図7 Fは別の挙例の説明、穴部位は実施されてよって電極の内側及び外側の1つ弾性手袋 72を設置される 、あるいは1つ弾性指袋74 、それゆえに、電極の全部の接触を完成するために、弾性手袋72 あるいは弾性指袋74 かぶせるの手あるいは指が別の一手にしっかりと握られることが出来る、一の肢体あるいは手が別にしっかりと握りに行くことが出来る、あるいは一の肢体、手を別に接触することが出来る、あるいは胸。
【００４６】
更に、不相同電極はも不相同の形式に実施することが出来る、挙例を言う、一つ電極がハウジング上にの弾性構造の中にのっているし、そして他の二つは延伸構造の相対的側の上にあることが出来る、或いは、代わるを成る、そしても、一つ電極位置がカフの弾性構造の上に、そして別に一つ位置が握られていて持つなハウジング上に、それゆえに、真実の状況によってを決まる、インプリメンテーションの変化は制限されていなくてもいい、しかも、本考案のデバイス構造及び電極の配置に基づいて、二つの電極と皮膚を同時に接触るためにもっと各方面の達成の方法はあると思います。
【００４７】
尚、本考案の中に[で] 、心電図の測定 を（部分あるいは全ての）援助するために、電極が、特に乾電極のもので、1つ感知器までに接続することが出来る、そして探査する及びユーザと電極の間に適切な接触かどうかを連絡するために、挙例を言う、一の圧力が探査すると言うコンポーネンで探査して電極の上に加えるの力、例えば、一の圧力感マシンを測る、或いは、一のタッチ感コンポーネントを測って使ってもう接触されたかどうかのを電極を測るのを感じることが出来る、例えば、感知キャパシタンスあるいは抵抗の変わりを測る経由、或いは、代わるをなる、も簡単に利用することが出来るで一のスイッチ感じて測って電極の上に加えるの力、これは、さらに実施することが出来るによってに、感知器あるいはスイッチ感を測って電極の上に適当な接触力を加えた、あるいはほかの物理のステータスの変わり、例えば、一の初期設定の数字を到着する、時に、心電図の測定は自動的に始めることが出来る、或いは、さえデバイスに実施することが出来るそれゆえにそして起動される。
【００４８】
本考案の中に[で] 、ユーザは選択することが出来るで、血圧測定する、心電計測定、あるいは両者を執行する、ここで、更に要注意するのは、いわゆる的の二種類の測定はすべて代表するのは、二種類測定するでたら特定の時間期間以内に起動される、そうすると、二種類の測定は同時間始めているが不必要です、本考案にとって、時間期間はが0 分から 10 分までの間に介することが出来る、そして、二種類の測定は互いに重なるか重ならないかことが出来る、この時間期間の間でもっと合理的なユーザ平均の生理の状況を提供することが出来る。それ以外に、二種類の測定の執行が一個或は数個の処理器を制御することが出来る、操作方式と構造の設計の因みに決める、制限なし。
【００４９】
尚、他に設置するでハウジング及び /あるいはカフ上の電極以外、もポートを拡充してタイラインを利用して接続してほかのマシン /電極通すことが出来る、例えば、血酸素感知器あるいは参考の電極を測って、機能を拡充する。
【００５０】
上述の総括は、本考案は心血管検測装置を提供する、あの血圧測定及び心電図の測定の二種類の機能をあって、そして血圧計改良するの法から良いの心電電極の設置構造を得るのセットアップ、とってユーザは更に容易、更に簡単及びもっと便利な操作プロシージャを提供することが出来る、他に、本考案も電極の接触の方面ではユーザが人間工学にぴったり合っての設計を提供する、電極と皮膚の間でもっと安定な接触を確保する、及びそれゆえにもっと正確な結果を提供する、それに、血圧及び心電図の間の相関性に基づいて、本考案はもっと役に立つ指示を提供してユーザ及び医者に参考を成すことが出来る。
【００５１】
上述の例及び開示は例示を意図しており、網羅を意図したものではない。これらの例及び説明は、当技術分野における通常の技術の一つに対し多くの変化や代替を提案するものである。これら代替及び変化はすべて本考案の請求の範囲内に含まれるものとする。当技術分野を熟知した人物が、ここで説明される特定の実施例の他の同等物に気付いた場合、それら同等物も本考案の請求の範囲によって包含されることが意図される。 
【図面の簡単な説明】
【００５２】
【図１】本考案に基づいた心血管検測装置の電気回路図である。
【図２】本考案に基づいた心血管検測装置の概略図である。
【図３】図３A〜図３Bは本考案の一つの態様に基づいた心血管検測装置の例示的な実施形態の概略図である。
【図４】図４A〜図４Bは本考案の一つの態様に基づいた心血管検測装置の別の例示的な実施形態の概略図である。
【図５】図５A〜図５Bは本考案の別の態様に基づいた心血管検測装置の例示的な実施形態の概略図である。
【図６】図６Aは本考案のさらに別の態様に基づいた心血管検測装置の例示的な実施形態の概略図である。図６B〜図６Dは本考案のさらに別の態様に基づいた心血管検測装置の別の例示的な実施形態の概略図である。
【図７】図７A〜図７Bは本考案に基づいた心血管検測装置の実例の断面図である。図７C〜図７Fは本考案に基づいた心血管検測装置の別の実例の断面図である。
【符号の説明】
【００５３】
１０      制御回路
１２      カフ
１４      電極
１６      ディスプレイ素子
１８      ハウジング
４０      力を受けるの構造
５２      アーク面
６０      弾性クランプ
６２      弾性バンド
７０      穴部位
７２      弾性手袋
７４      弾性指袋
【図１】
0003206503.tif 000003
【図２】
0003206503.tif 000004
【図３】
0003206503.tif 000005
【図４】
0003206503.tif 000006
【図５】
0003206503.tif 000007
【図６】
0003206503.tif 000008
【図７】
0003206503.tif 000009
【手続補正書】
【提出日】平成28年7月27日(2016.7.27)
【手続補正１】
【補正対象書類名】実用新案登録請求の範囲
【補正対象項目名】全文
【補正方法】変更
【補正の内容】
【実用新案登録請求の範囲】
【請求項１】
心血管モニタリング装置であって、
ユーザの四肢を取り巻くための膨張可能なカフと、
少なくとも２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
拡張期血圧及び収縮期血圧並びに心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると拡張期血圧及び収縮期血圧を提供するように構成され、前記心電図測定が実行されると心拍情報を提供するように構成され、
前記心血管モニタリング装置は、さらに、前記第１電極を設けるための保持構造であって、前記ユーザが前記保持構造を保持するときに前記ユーザと電極が接触可能となるような前記保持構造を備え、
前記保持構造は、前記第1電極と前記保持構造を保持する前記ユーザの手との間の接触安定性をさらに確保するために、手握り可能な曲線の形状に形成される、
心血管モニタリング装置。
【請求項２】
請求項１に記載の心血管モニタリング装置であって、
前記心拍情報は、平均心拍数又は不整脈の兆候のうちの少なくとも１つを含み、
前記プロセッサは、さらに、心電図測定が実行されたときに、ST値、QRS、PR、QTc及びHRVに関連するパラメータのうちの少なくとも１つを提供する、
請求項１に記載の心血管モニタリング装置。
【請求項３】
請求項１に記載の心血管モニタリング装置であって、
前記保持構造は、前記ハウジング又は前記カフから延長され、又は、前記ハウジングと一体的に実装され、
前記第１電極を設けるための前記保持構造の表面は、前記保持構造を保持する前記ユーザの手に対して手握り可能な円弧面である、
請求項１に記載の心血管モニタリング装置。
【請求項４】
心血管モニタリング装置であって、
ユーザの四肢を取り巻くための膨張可能なカフと、
少なくとも２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
拡張期血圧及び収縮期血圧並びに心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると前記拡張期血圧及び前記収縮期血圧を提供するように構成され、前記心電図測定が実行されると心拍情報を提供するように構成され、
前記前記第１電極及び前記第２電極はそれぞれ、前記心血管モニタリング装置の一部の対向する接触面に設けられ、前記２つの電極の一方に力が加えられたときに、前記第１電極及び前記第２電極が同時に前記ユーザの皮膚の異なる部分に接触するように構成される、
心血管モニタリング装置。
【請求項５】
請求項４に記載の心血管モニタリング装置であって、
前記第１電極及び/又は前記第２電極は、さらに、前記２つの電極に設けられる圧力検出素子、圧力感知素子又は接触を感知するためのスイッチに接続される、
請求項４に記載の心血管モニタリング装置。
【請求項６】
請求項４に記載の心血管モニタリング装置であって、
前記ハウジング又は前記カフから延長された受力構造であって、前記受力構造の対向する接触面に設けられた前記第１電極及び前記第２電極を備え、前記受力構造に加えられた力に応じて、前記第１電極及び前記第２電極が同時に前記ユーザの皮膚の異なる部分に接触するように構成される、
請求項４に記載の心血管モニタリング装置。
【請求項７】
心血管モニタリング装置であって、
ユーザの四肢を取り巻くための膨張可能なカフと、
少なくと２つの第１電極及び第２電極であって、少なくとも一方はドライ電極で構成される前記第１電極及び前記第２電極と、
ハウジングと、
プロセッサを搭載した制御回路であって、前記ハウジングに設けられた前記制御回路と、
拡張期血圧及び収縮期血圧並びに心拍情報を表示するためのディスプレイと、
を有し、
前記制御回路は、前記膨張可能なカフの内部圧力を制御することにより血圧測定を実行するように構成され、前記２つの電極を用いて心電図測定を実行し、
前記プロセッサは、前記血圧測定が実行されると前記拡張期血圧及び前記収縮期血圧を提供するように構成され、前記心電図測定が実行されると心拍情報を提供するように構成され、
前記第１電極は、前記カフ又は前記ハウジングに設けられ、
前記心血管モニタリング装置は、さらに、弾性構造を備え、
前記弾性構造は、モニタリング中に前記心血管モニタリング装置が前記ユーザに取り付けられたときに、前記第１電極と前記ユーザの皮膚との間の接触安定性を確保する、
心血管モニタリング装置。
【請求項８】
請求項７に記載の心血管モニタリング装置であって、
前記第１電極は、前記カフに設けられる場合には、前記弾性構造は、クランプ又は弾性バンドであって、前記第１電極近傍に前記カフと一体となっている前記クランプ又は前記弾性バンドとして構成され、
前記第１電極は、前記ハウジングに設けられる場合には、前記弾性構造は、前記第１電極近傍に前記ハウジングと一体として構成され、或いは、前記弾性構造は、前記第１電極と一体として実装される
請求項７に記載の心血管モニタリング装置。
【請求項９】
請求項７に記載の心血管モニタリング装置であって、
前記第１電極及び前記第２電極の少なくとも一方は前記カフに設けられ、
前記心電図測定は、前記カフの内部圧力が定常状態となるときに実行される、
請求項７に記載の心血管モニタリング装置。